(57)【要約】      （修正有）【課題】ケーブル接続の際、ジョイント部の中心位置をケーブルが設置される箇所の規定位置に容易に配置できるジョイント部位置決め治具を提供する。【解決手段】Ｔ字型の接続基板を設け、接続基板の中央片部表面に、端部から目盛が設けられた中央細幅板２の端部を接続基板の上端部に合わせて重合、固定し、接続基板のＴ字両側片部表面には、第１側部細幅板３及び第２側部細幅板４の各端部を重ねて軸支し、第１及び第２側部細幅板が中央細幅板に対して直角位置で止まるストッパを接続基板、第１及び第２側部細幅板に設け、第１及び第２側部細幅板をＴ字型に広げた際、第１側部細幅板と第２側部細幅板は直線をなし、第１側部細幅板には端部から始まる目盛７が設けられ、第２側部細幅板には、中央細幅板の、第１側部細幅板との突合せ端から始まる目盛８が設けられている。【選択図】図７
0003223659.tif 000002
【実用新案登録請求の範囲】
【請求項１】
Ｔ字型の接続基板を設け、当該接続基板の中央片部表面に、一側縁に端部からの目盛のある中央細幅板の端部を接続基板の上端部に合わせて重合、固定し、
当該接続基板のＴ字型の両側片部表面に、第１側部細幅板及び第２側部細幅板の各端部を重ねて軸支し、これらの第１側部細幅板及び第２側部細幅板は前記中央細幅板に対して直角位置で止まるストッパを前記接続基板、第１側部細幅板及び第２側部幅板に設け、
これらの第１側部細幅板及び第２側部細幅板をＴ字型に広げた際、当該第１側部細幅板と第２側部細幅板の一側端縁は直線をなし、第１側部細幅板は当該第１側部細幅板の端部から始まる目盛が設けられ、第２側部細幅板は、前記中央細幅板の、第１側部細幅板との突合せ端から始まる目盛が設けられたことを特徴とする、ジョイント部位置決め治具。
【請求項２】
前記中央細幅板の、第１側部細幅板との突合せ側の側縁に、中央位置を表示する中央位置表示を設けたことを特徴とする、請求項１に記載のジョイント部位置決め治具。
【請求項３】
前記ストッパは接続基板の両側に、前記第１側部細幅板及び第２側部細幅板の回転を阻止する突起をそれぞれ設け、前記第１側部細幅板及び第２側部細幅板には前記各突起が入る凹部が設けられたことを特徴とする、請求項１又は２に記載のジョイント部位置決め治具。
【請求項４】
前記ストッパは、第１側部細幅板及び第２側部細幅板の端部の接続基板との軸支部の外側に、ボルトを貫通させ、当該各ボルトの端部にはナットを螺着し、当該第１側部細幅板及び第２側部細幅板の前記ボルトに相応する前記接続基板の両側に、一側縁から切り欠きをそれぞれ設け、前記第１側部細幅板及び第２側部細幅板を中央細幅板に対してＴ字型に広げた際、前記各ボルトが前記切り欠きに入り、前記各ナットを締め付けると前記第１側部細幅板及び第２側部細幅板の回転が阻止される構成としたことを特徴とする、請求項１又は２に記載のジョイント部位置決め治具。
【請求項５】
前記各ナットは蝶ナットであることを特徴とする、請求項４に記載のジョイント部位置決め治具。
【考案の詳細な説明】
【技術分野】
【０００１】
この考案は、主に地中送電線工事におけるケーブルの接続作業時に、接続部（ジョイント部）を規定された位置に設置する際の位置決めに使用するジョイント部位置決め治具に関するものである。
【背景技術】
【０００２】
前記地中線工事におけるケーブルの接続作業は、主にマンホールや洞道内で行われている。その接続部（ジョイント部）は、腕金物上等の所定の箇所に設置されている。そして前記ジョイント部の位置合わせは、メジャーや即席の定規にて計測している。
【０００３】
これを詳細に説明すると、図１４に示すように、洞道の長手方向の一側面に等間隔でアングル材からなる支柱５０が多数立てられ、前記ケーブル５１は当該支柱５０から伸びた腕金物５３上に設置されており、このケーブル５１の接続についてはジョイント部５１ａが、隣接する支柱５０の中央に位置するように決められており、また、図１５に示すように、当該支柱５０を設けた壁５２から前記ジョイント部５１ａの中央までの距離も決められており、これに従って設置される。
【０００４】
そのため、ケーブル接続に際しては、まず、前記隣接する支柱５０、５０間の長さをメジャーで測り、その中央位置Ｓを壁５２に印付け、当該印箇所をジョイント部５１ａの中央に合わせてケーブル５０を接続し、その後、当該ジョイント部５１ａの中央部が壁５２からの規定距離Ｌとなるように、ジョイント部５１ａを固定する。
【０００５】
しかしながら、マンホールや洞道内は狭隘かつ暗いため、メジャーを伸ばす動作がしにくかったり、目盛が読みにくいためジョイント位置を間違えることがある。また、即席の定規を作成した場合、その定規が長尺であるため、狭隘なマンホール等内では使いにくく、かつ、当該定規でケーブルに傷つける恐れがある。
【０００６】
そこで、中心位置を求めるため、特許文献１に示すように、スケールのほぼ中心部にゼロ部を配置し、当該ゼロ部から対向する方向に同じ数値の指示目盛をそれぞれ配置したスケールが開発されている。
【０００７】
また、特許文献２に示すように、送電線接続工事用標尺が開発されている。この送電線接続工事用標尺は送電線の側面に沿わせる本体と、当該本体を送電線の側面に沿わせた状態で、送電線に掛け止めるための部材とにより標尺を構成し、前記本体には、１つの中心目盛と、２つの配置目盛と、２つの伸長標準目盛を付し、前記中心目盛は送電線接続時の鋼スリーブの中心位置に当てがうものとし、前記配置目盛は圧縮前のアルミスリーブの両端を配置すべき位置を示すものとし、前記伸長標準目盛は圧縮後のアルミスリーブの両端が達すべき位置の外側位置を示すものとした。
【先行技術文献】
【特許文献】
【０００８】
【特許文献１】特開平７−２６０４０１号公報
【特許文献２】実開平７−３２２６号公報
【考案の開示】
【考案が解決しようとする課題】
【０００９】
前記特許文献１のスケールは、本件のマンホールや洞道内でのケーブルの接続の際、隣接する支柱の中央部の位置決めには適するものの、接続したケーブルの中心のジョイント部の壁からの距離を測り、既定の距離に固定するには、スケールの向きを変えて、スケールの端部を壁に当て、壁と直角にスケールを突出させなければならず、狭いマンホールや洞道内でスケールをいちいち動かなければならない。また、長尺なため、取り扱いにくい。
【００１０】
また、前記特許文献２の標尺は、送電線のスリーブによる接続作業には適しているが、本件のようにマンホールや洞道内で、ケーブル接続後のジョイン部の壁からの距離を測るのには適していない。また、標尺が長いため、取り扱いが不便である。
【００１１】
この考案は、上記の点に着目し、ケーブルの接続の際、ジョイント部の中心位置をケーブルが設置される箇所の規定位置に容易に配置でき、かつ折り畳み可能で場所を取らない、ジョイント部位置決め治具を提供することを目的としたものである。
【課題を解決するための手段】
【００１２】
請求項１の考案は、Ｔ字型の接続基板を設け、当該接続基板の中央片表面に、一側縁に端部からの目盛のある中央細幅板の端部を接続基板の上端部に合わせて重合、固定し、当該接続基板のＴ字型の両側片表面に、第１側部細幅板及び第２側部細幅板の各端部を重ねて軸支し、これらの第１側部細幅板及び第２短補助幅板は前記中央細幅板に対して直角位置で止まるストッパを前記接続基板、第１側部細幅板及び第２側部幅板に設け、これらの第１側部細幅板及び第２側部細幅板をＴ字型に広げた際、当該第１側部細幅板と第２側部細幅板の一側端縁は直線をなし、第１側部細幅板は当該第１側部細幅板の端部から始まる目盛が設けられ、第２側部細幅板は、前記中央細幅板の、第１側部細幅板との突合せ端から始まる目盛が設けられた、ジョイント部位置決め治具とした。
【００１３】
また、請求項２の考案は、前記中央細幅板の、第１側部細幅板との突合せ側の側縁に、中央位置を表示する中央位置表示を設けた、請求項１に記載のジョイント部位置決め治具とした。
【００１４】
また、請求項３の考案は、前記ストッパは接続基板の両側に、前記第１側部細幅板及び第２側部細幅板の回転を阻止する突起をそれぞれ設け、前記第１側部細幅板及び第２側部細幅板には前記各突起が入る凹部が設けられた、請求項１又は２に記載のジョイント部位置決め治具とした。
【００１５】
また、請求項４の考案は、前記ストッパは、第１側部細幅板及び第２側部細幅板の端部の接続基板との軸支部の外側に、ボルトを貫通させ、当該各ボルトの端部にはナットを螺着し、当該第１側部細幅板及び第２側部細幅板の前記ボルトに相応する前記接続基板の両側に、一側縁から切り欠きをそれぞれ設け、前記第１側部細幅板及び第２側部細幅板を中央細幅板に対してＴ字型に広げた際、前記各ボルトが前記切り欠きに入り、前記各ナットを締め付けると前記第１側部細幅板及び第２側部細幅板の回転が阻止される構成とした、請求項１又は２に記載のジョイント部位置決め治具とした。
【００１６】
また、請求項５の考案は、前記各ナットは蝶ナットである、請求項４に記載のジョイント部位置決め治具とした。
【考案の効果】
【００１７】
請求項１の考案によれば、本件のケーブル接続に際して、ケーブルを支持する隣接する支柱の中央位置を割り出して、ケーブル接続のジョイント部をこの中央位置に合わせることが容易である。具体的には、現場に行ってから当該位置決め治具の第１側部細幅板及び第２側部細幅板を広げて、中央細幅板に対して直角にした状態で、隣接する支柱に前記第１側部細幅板及び第２側部細幅板を当て、第１側部細幅板と第２側部細幅板の同目盛の箇所が前記各支柱に当たるようにずらし、当たった位置の中央細幅板の、前記第１側部細幅板の端部との突合せ側の一側縁が、前記各支柱の中央位置であることがわかり、これを壁等に印付ける。
【００１８】
これにより、ケーブルのジョイント部を規定の位置にして接続ができる。その際の中央部の位置決めが迅速かつ容易にできる。
【００１９】
また、この状態で中央細幅板の目盛に、予め測定した、支柱の壁からの突出長を足せば、壁からジョイント部の中心点までの長さがわかり、当該ケーブルのジョイント部の壁からの規定の距離を容易に確保することができる。また、このジョイント部の位置決め作業が終わったら、前記第１側部細幅板及び第２側部細幅板を回転させて、これらを中央細幅板の両脇に折り畳むことができる。従って、持ち運びの際や収納の際はコンパクトになり、場所を取らず、特に、マンホールや洞道のような狭い場所では、便利である。
【００２０】
また、請求項２の考案によれば、中央細幅板の長手方向のどちらの側が中央点なのかが一目でわかり、ジョイント部の位置決めがさらに容易かつ迅速にできる。
【００２１】
また、請求項３の考案によれば、前記中央細幅板に対して前記第１側部細幅板及び第２側部細幅板をＴ字型に広げる際、接続基板に設けた突起に第１側部細幅板及び第２側部細幅板の各切り欠き凹部に入れば、第１側部細幅板及び第２側部細幅板は直線状になり、かつ、中央細幅板に対して直角になり、位置決め作業が容易となる。
【００２２】
また、請求項４の考案によれば、前記中央細幅板に対して前記第１側部細幅板及び第２側部細幅板をＴ字型に広げる際、前記第１側部細幅板及び第２側部細幅板を貫通したボルトが、基盤の両側の切り欠きに入り、各ボルト端のナットを締め付けると前記第１側部細幅板及び第２側部細幅板は回転を阻止され、かつ、この状態で第１側部細幅板及び第２側部細幅板は直線状になり、かつ、中央細幅板に対して直角になり、位置決め作業が容易となる。
【００２３】
また、請求項５の考案によれば、各ボルトに螺着したナットが蝶ナットであるため、作業者は素手でナットを締め付けることができる。
【図面の簡単な説明】
【００２４】
【図１】この考案の実施の形態例１のジョイント部位置決め治具の正面図である。
【図２】この考案の実施の形態例１のジョイント部位置決め治具の底面図である。
【図３】この考案の実施の形態例１のジョイント部位置決め治具の背面図である。
【図４】この考案の実施の形態例１のジョイント部位置決め治具を折り畳んだ状態の正面図である。
【図５】この考案の実施の形態例１のジョイント部位置決め治具の折り畳み途中の拡大一部正面図である。
【図６】この考案の実施の形態例１のジョイント部位置決め治具のストッパ部の拡大断面図である。
【図７】この考案の実施の形態例１のジョイント部位置決め治具の第１の使用状態を示す正面図である。
【図８】この考案の実施の形態例１のジョイント部位置決め治具の第２の使用状態を示す正面図である。
【図９】この考案の実施の形態例２のジョイント部位置決め治具のストッパ部の拡大一部正面図である。
【図１０】この考案の実施の形態例２のジョイント部位置決め治具のストッパ部の折り畳み途中の拡大一部正面図である。
【図１１】この考案の実施の形態例３のジョイント部位置決め治具のストッパ部の拡大一部正面図である。
【図１２】この考案の実施の形態例３のジョイント部位置決め治具のストッパ部の拡大一部断面図である。
【図１３】この考案の実施の形態例３のジョイント部位置決め治具のストッパ部の折り畳み途中の拡大断面図である。
【図１４】この考案のジョイント部位置決め治具を使用するケーブルの接続部箇所の正面図である。
【図１５】この考案のジョイント部位置決め治具を使用するケーブルの接続部箇所の平面図である。
【考案を実施するための形態】
【００２５】
（実施の形態例１）
この考案の実施の形態例１のジョイント部位置決め治具Ａを図１〜図６に基づいて説明する。
【００２６】
このジョイント部位置決め治具Ａは、Ｔ字型の接続基板１、中央細幅板２、第１側部細幅板３及び第２側部細幅板４とから構成されている。
【００２７】
前記接続基板１は、Ｔ字型をなし、中央片部１ａ、左右の両側片部１ｂ、１ｂとから成る。この接続基板１の中央片部１ａの上面に、その上端に合わせて前記中央細幅板２の上端部が重ね合わされて固定されている。この中央細幅板２の下部は前記接続基板１より下に伸びており、その表面には、上端部から目盛５が付されている。
【００２８】
また、前記接続基板１の左右の両側片部１ｂの両側に、前記第１側部細幅板３及び第２側部細幅板４の各端部がピン６により夫々回転自在に接続されている。そして、これらの第１側部細幅板３及び第２側部細幅板４の他端部は前記接続基板１から外方に伸びている。
【００２９】
前記第１側部細幅板３の上端縁には、接続基板１に軸支された端部を０点として、そこから目盛７が付されている。前記第２側部細幅板４の上端縁にも目盛８が付されているが、当該目盛８の起点は、前記中央細幅板２の、前記第１側部細幅板３との突き合わせ端であり、そこから順に目盛が付いている。従って、中央細幅板２の上端縁にも目盛８が付されている。なお、前記目盛５、７及び８は相互に等間隔で目盛が付されている。また、前記目盛８の起点となる中央細幅板２の一側縁２ａが中央位置でる点を表示する印を設けることもできる。
【００３０】
また、第１側部細幅板３及び第２側部細幅板４の端部の接続基板１との軸支部であるピン６の外側に、頭付きボルト９を貫通させ、当該各頭付きボルト９の、接続基板１及び第１側部細幅板３又は第２側部細幅板４の外側上下に突出した箇所に蝶ナット１０、１０がそれぞれ螺着されている。
【００３１】
また、これらのボルト９が貫通する接続基板１の箇所は、接続基板１の下端縁からの切り欠き１１がそれぞれ設けられ、前記ボルト９が切り欠き１１の上端に当たると、前記第１側部細幅板３及び第２側部細幅板４の回転が阻止され、そこで、各蝶ナット１０を締め付けると前記第１側部細幅板３及び第２側部細幅板４は、前記中央細幅板２に対して直角に、かつ、前記第１側部細幅板３と第２側部細幅板４の各上端縁は一直線上に、固定される。なお、各蝶ナット１０の、接続基板１の下面との間には座金１２が介在されている。
【００３２】
このジョイント部位置決め治具Ａを用いて、接続ケーブルのジョイント部を接続するには、図７に示すように、現場に行ってから当該位置決め治具Ａの第１側部細幅板３及び第２側部細幅板４を広げて中央細幅板２に対して直角にした状態にする。
【００３３】
そして、隣接する支柱５０に前記第１側部細幅板３及び第２側部細幅板４を当て、第１側部細幅板３と第２側部細幅板４の同目盛の箇所が前記各支柱５０に当たるようにずらし、当たった位置の中央細幅板２の、前記第１側部細幅板３の端部との突合せ側の一側縁２ａが、前記各支柱５０の中央位置Ｓであることがわかり、この中央位置Ｓを壁等に印付ける。その後、接続する２本のケーブル５１をジョイント部５１ａを介して接続する。
【００３４】
また、図８に示すように、この状態で中央細幅板２の目盛５に、予め測定した、支柱５０の壁からの突出長を足せば、壁５２からジョイント部５１ａの中心点までの長さが算出でき、当該ケーブル５１のジョイント部５１ａの壁５２からの規定の距離Ｌを容易に確保することができる。なお、図８では、ジョイント部位置決め治具Ａの測定状況を分かりやすくするため、一点鎖線で表示する。
【００３５】
このように、ケーブルの接続に際して、この法案のジョイント部位置決め治具Ａを用いれば、接続するケーブル５１を支持する隣接した支柱５０の中央位置Ｓがすぐに測定でき、また前記位置決め治具Ａをそのままの状態にして、壁５２からケーブル５１のジョイント部５１ａの中央部までの規定距離Ｌが計測できる。
【００３６】
これらの測定後は、第１側部細幅板３及び第２側部細幅板４を折り畳んで当該ジョイント部位置決め治具Ａをコンパクトにすることができる。
【００３７】
（実施の形態例２）
次に、この考案の実施の形態例２のジョイント部位置決め治具Ｂを図９〜図１０に基づいて説明する。このジョイント部位置決め治具Ｂはストッパ部の構成のみが実施の形態例１のジョイント部位置決め治具Ａと異なり、他の構成は実施の形態例１のジョイント部位置決め治具Ａと同じである。
【００３８】
このジョイント部位置決め治具Ｂのストッパ部は、接続基板１の両側片１ｂ、１ｂの上端縁にそれぞれ第１突起１３、１３を設け、第１側部細幅板３及び第２側部細幅板４の相応する箇所に第１凹部１４、１４をそれぞれ設けている。
【００３９】
従って、第１側部細幅板３及び第２側部細幅板４を中央細幅板２に対してそれぞれ直角に広げると、各第１凹部１４が各第１突起１３に入り、第１側部細幅板３及び第２側部細幅板４はそれ以上上方に回転できず、回転を阻止される。そして、この状態で第１側部細幅板３及び第２側部細幅板４は中央細幅板２に対して、それぞれ直角に位置し、かつ、第１側部細幅板３及び第２側部細幅板４は直線上に位置する。
【００４０】
（実施の形態例３）
次に、この考案の実施の形態例３のジョイント部位置決め治具Ｃを図１１〜図１３に基づいて説明する。このジョイント部位置決め治具Ｃはストッパ部の構成のみが前記実施の形態例１のジョイント部位置決め治具Ａと異なり、他の構成は実施の形態例１のジョイント部位置決め治具Ａと同じである。
【００４１】
このジョイント部位置決め治具Ｃのストッパ部は、接続基板１の両側片１ｂ、１ｂの、ピン６より外方箇所上面に略半球状の第２突起１５、１５をそれぞれ設け、第１側部細幅板３及び第２側部細幅板４の相応する箇所に第２凹部１６、１６をそれぞれ設けている。
【００４２】
これにより、第１側部細幅板３及び第２側部細幅板４を中央細幅板２に対して直角に広げると、図１２に示すように、各第２凹部１６に各第２突起が入り、第１側部細幅板３及び第２側部細幅板４はそれ以上上方に回転できず、回転を阻止される。そして、この状態で第１側部細幅板３及び第２側部細幅板４は中央細幅板２に対して、それぞれ直角に位置し、かつ、第１側部細幅板３及び第２側部細幅板４は直線上に位置する。
【００４３】
なお、この考案の前記ストッパ部の構造は、上記実施の形態例１〜３に限るものではなく、接続基板１と第１側部細幅板３及び第２側部細幅板４に設けたものであれば、他の構造のものでもよい。
【００４４】
また、上記実施の形態例１〜３では、中央細幅板１の一側縁２ａが中央位置である旨の印や表示を付していないが、当該印や表示は、「中央位置」、矢印、または、目盛５を他の目盛７，８と異なる色で表示する等、種々のものが適用できる。
【符号の説明】
【００４５】
Ａ      ジョイント部位置決め治具
Ｂ      ジョイント部位置決め治具
Ｃ      ジョイント部位置決め治具
１        接続基板                  １ａ    中央片部
１ｂ      両側片部                  ２      中央細幅板
２ａ      一側縁                    ３      第１側部細幅板
４        第２側部細幅板            ５      目盛
６        ピン                      ７      目盛
８        目盛                      ９      頭付きボルト
１０      蝶ナット                  １１    切り欠き
１２      座金                      １３    第１突起
１４      第１凹部                  １５    第２突起
１６      第２凹部                  ５０    支柱
５１      ケーブル                  ５１ａ  ジョイント部
５２      壁                        ５３    腕金物
【図１】
0003223659.tif 000003
【図２】
0003223659.tif 000004
【図３】
0003223659.tif 000005
【図４】
0003223659.tif 000006
【図５】
0003223659.tif 000007
【図６】
0003223659.tif 000008
【図７】
0003223659.tif 000009
【図８】
0003223659.tif 000010
【図９】
0003223659.tif 000011
【図１０】
0003223659.tif 000012
【図１１】
0003223659.tif 000013
【図１２】
0003223659.tif 000014
【図１３】
0003223659.tif 000015
【図１４】
0003223659.tif 000016
【図１５】
0003223659.tif 000017